(57)【要約】本発明は、複数の光源（２ｙ）によって環境を照射する照明方法であって、Ａ．ビデオ信号ｖ（ｔ）を獲得するステップであり、各フレーム（３）の画像が複数のボックス（３ｉｊ）に分割されるステップ（１１０）と、Ｂ．ビデオ信号ｖ（ｔ）を複数のビデオ信号ボックスｖｉｊ（ｔ）に細分するステップ（１２０）と、Ｃ．フレームビデオ信号ｖｉｊ（ｔ）を周波数処理して輝度信号のスペクトルＹｉｊ（ｆ）及び色度信号のスペクトルＣｉｊ（ｆ）を得るステップ（１３０）と、Ｄ．輝度信号スペクトルＹｉｊ（ｆ）の優位周波数帯を抽出するステップ（１４０）と、Ｅ．色度信号スペクトルＣｉｊ（ｆ）の優位周波数帯を抽出するステップ（１５０）と、Ｆ．輝度信号のスペクトルと色度信号のスペクトルとを加算するステップと、Ｇ．光源（２ｉｊ）の時間駆動信号ｐｉｊＣｔｒｌ（ｔ）を得るステップとを含む照明方法に関する。【選択図】  なし【特許請求の範囲】
【請求項１】
複数の光源（２ｉｊ）によって環境（Ａ）を照明する照射方法であって、ｉ＝１，．．．，Ｎであり、Ｎが正の整数であり、ｊ＝１，．．．，Ｍであり、Ｍが正の整数であり、
前記方法が、
Ａ．ビデオ信号ｖ（ｔ）を獲得するステップ（１１０）であり、各フレーム（３）の画像が複数のボックス（３ｉｊ）に分割される、獲得するステップ（１１０）と、
Ｂ．前記ビデオ信号ｖ（ｔ）を複数のボックスビデオ信号ｖｉｊ（ｔ）に細分するステップ（１２０）であり、前記複数のボックスビデオ信号ｖｉｊ（ｔ）がそれぞれ、それぞれのボックス（３ｉｊ）に表示される各フレーム（３）の画像部分に関連付けられる、細分するステップ（１２０）と、
Ｃ．前記ボックスビデオ信号ｖｉｊ（ｔ）を周波数処理して、各ボックスビデオ信号ｖｉｊ（ｔ）に関連付けられたそれぞれの輝度信号のスペクトル
【数１】
2020532821.tif 000070
及び色度信号のスペクトル
【数２】
2020532821.tif 000071
を得るステップ（１３０）と、
Ｄ．各ボックスビデオ信号ｖｉｊ（ｔ）に関連付けられた前記輝度信号スペクトル
【数３】
2020532821.tif 000072
の優位周波数帯を抽出するステップ（１４０）と、
Ｅ．各ビデオ信号ボックスｖｉｊ（ｔ）に関連付けられた前記色度信号スペクトル
【数４】
2020532821.tif 000073
の優位周波数帯を抽出するステップ（１５０）と、
Ｆ．前記輝度信号の前記処理済みスペクトルと前記色度信号の前記処理済みスペクトルとを加算するステップと、
Ｇ．前記光源（２ｉｊ）のそれぞれの時間駆動信号
【数５】
2020532821.tif 000074
を得るステップと、
を含む照射方法。
【請求項２】
前記段階Ｂで、各画像フレームの線のすべてを各ボックス（３ｉｊ）によって分割して、前記画像の前記ボックス（３ｉｊ）に関連付けられた前記複数のビデオ信号ｖｉｊ（ｔ）を得ることを特徴とする、請求項１に記載の方法。
【請求項３】
前記段階Ｃが、
Ｃ１．各ボックス（３ｉｊ）に対する前記ボックスビデオ信号ｖｉｊ（ｔ）を周波数変換するサブステップ（１３１）と、
Ｃ２．前記ビデオ信号ボックス
【数６】
2020532821.tif 000075
を周波数フィルタリングして、各ボックス（３ｉｊ）に関連付けられた前記輝度信号の前記スペクトル
【数７】
2020532821.tif 000076
及び前記色度信号の前記スペクトル
【数８】
2020532821.tif 000077
を得るサブステップ（１３２）と、
を含むことを特徴とする、請求項１又は２に記載の方法。
【請求項４】
前記段階Ｄが、
Ｄ１．各ボックス（３ｉｊ）に関連付けられた各輝度信号の前記スペクトル
【数９】
2020532821.tif 000078
の最大値
【数１０】
2020532821.tif 000079
に関連付けられた最大瞬時周波数
【数１１】
2020532821.tif 000080
を検出するサブステップ（１４１）と、
Ｄ２．前記周波数
【数１２】
2020532821.tif 000081
前後で前記輝度信号スペクトル
【数１３】
2020532821.tif 000082
をフィルタリングして、各ボックス（３ｉｊ）に関連付けられたフィルタリング済み輝度スペクトル
【数１４】
2020532821.tif 000083
を得るサブステップ（１４２）と、
を含むことを特徴とする、請求項１〜３のいずれか一項に記載の方法。
【請求項５】
前記段階Ｅ２で、所定の帯域幅
【数１５】
2020532821.tif 000084
に対する前記最大瞬時周波数
【数１６】
2020532821.tif 000085
前後で帯域通過フィルタリングを実行して、前記フィルタリング済み色度信号のスペクトル
【数１７】
2020532821.tif 000086
を得ることができることを特徴とする、請求項４に記載の方法。
【請求項６】
前記段階Ｅが、
Ｅ１．各ボックス（３ｉｊ）に関連付けられた各色度信号の前記スペクトル
【数１８】
2020532821.tif 000087
の最大値
【数１９】
2020532821.tif 000088
に関連付けられた最大瞬時周波数
【数２０】
2020532821.tif 000089
を検出するサブステップ（１５１）と、
Ｅ２．前記周波数
【数２１】
2020532821.tif 000090
前後で前記色度信号スペクトル
【数２２】
2020532821.tif 000091
をフィルタリングして、各ボックス（３ｉｊ）に関連付けられたフィルタリング済み色度スペクトル
【数２３】
2020532821.tif 000092
を得るサブステップ（１５２）と、
を含むことを特徴とする、請求項１〜５のいずれか一項に記載の方法。
【請求項７】
前記段階Ｅ２で、所定の帯域幅
【数２４】
2020532821.tif 000093
に対する前記最大瞬時周波数
【数２５】
2020532821.tif 000094
前後で帯域通過フィルタリングを実行して、前記フィルタリング済み色度信号のスペクトル
【数２６】
2020532821.tif 000095
を得ることを特徴とする、請求項６に記載の方法。
【請求項８】
前記段階Ｆが、前記輝度信号の前記フィルタリング済みスペクトル
【数２７】
2020532821.tif 000096
と、前記色度信号の前記フィルタリング済みスペクトル
【数２８】
2020532821.tif 000097
とを加算する段階（１６０）を含むことを特徴とする、請求項４及び６に従属する場合の請求項１〜７のいずれか一項に記載の方法。
【請求項９】
前記段階Ｇで、前記輝度信号のフィルタリング済みスペクトル
【数２９】
2020532821.tif 000098
と前記色度信号のフィルタリング済みスペクトル
【数３０】
2020532821.tif 000099
との和の逆フーリエ変換によって、前記光源（２ｉｊ）のそれぞれの前記時間駆動信号
【数３１】
2020532821.tif 000100
が得られることを特徴とする、請求項８に記載の方法。
【請求項１０】
前記ビデオ信号ｖ（ｔ）が、テレビジョン、スマートフォン、タブレット、プロジェクタなどのディスプレイ（Ｔ）に表示されることが意図されたタイプであることを特徴とする、請求項１〜９のいずれか一項に記載の方法。
【請求項１１】
前記光源（２ｉｊ）が、複数の照明ユニット（２ｉ）に設置され、ｉ＝１，．．．，Ｎであり、Ｎが正の整数であり、前記照明ユニット（２１，．．．，２ｉ）が、環境（Ａ）に配置されることを特徴とする、請求項１〜１０のいずれか一項に記載の方法。
【請求項１２】
各照明ユニット（２ｉ）が、１つ又は複数の光源（２ｉｊ）のサブセットを備えることを特徴とする、請求項１１に記載の方法。
【請求項１３】
各照明ユニット（２ｉ）の前記１つ又は複数の光源（２ｉｊ）のサブセットのうちの前記光源（２ｉｊ）がそれぞれ、各フレームの前記画像のボックス（３ｉｊ）のそれぞれのサブセットに対応し、それにより前記ボックス（３ｉｊ）のサブセットのうちの前記ボックス（３ｉｊ）がそれぞれ、前記同じサブセットのうちの少なくとも１つの他のパネル（３ｉｊ）に隣り合うことを特徴とする、請求項１２に記載の方法。
【請求項１４】
前記ボックスのサブセットが、１列のボックス（３ｉ）であり、前記ボックスが、垂直に配置され、
各照明ユニット（２ｉ）の前記光源（２ｉｊ）の前記サブセットが、垂直に配置される
ことを特徴とする、請求項１３に記載の方法。
【請求項１５】
前記ボックス（３ｉ）の列が、
前記ボックス（３ｉ）の列がすべて同じである構成、
前記ボックス（３ｉ）の列がすべて同じ高さを有するが、前記画像の側部の方へ配置された前記ボックス（３ｉ）の列に比べて、前記画像の中心に対応する前記ボックス（３ｉ）の列に対して徐々に減少する幅を有し、前記ボックス（３ｉ）の列が、前記画像の前記中心を通過して前記画像を分割する垂直軸線（ＳＶ）に対して対称の寸法である構成、
前記ボックス（３ｉ）の列が、異なる高さ及び異なる幅を有し、前記ボックス（３ｉ）の列の前記高さ及び前記幅がどちらも、前記画像の縁部の方へ配置された前記ボックス（３ｉ）の列に比べて、前記画像の前記中心に対応する前記ボックス（３ｉ）の列に対して徐々に減少し、前記ボックス（３ｉ）の列が、前記画像の前記中心を通過して前記画像を垂直及び水平に分割する前記垂直軸線（ＳＶ）及び水平軸線（ＳＯ）に対して対称の寸法である構成、又は
前記ボックス（３ｉ）の列がすべて同じ幅を有するが、前記画像のより高い側部及びより短い側部の方へ配置された前記ボックス（３ｉ）の列に比べて、前記画像の前記中心に対応する前記ボックス（３ｉ）の列に対して減少する高さを有し、前記ボックス（３ｉ）の列が、前記画像の前記中心を通過して前記画像を分割する前記水平軸線（ＳＯ）に対して対称の寸法である構成、
のうちの１つに応じて成形されることを特徴とする、請求項１〜１４のいずれか一項に記載の方法。
【請求項１６】
各照明ユニット（２ｉ）の光源（２ｉｊ）が、他の光源（２ｉｊ）に対してそれぞれの時間遅延で駆動されることを特徴とする、請求項１１〜１５のいずれか一項に記載の方法。
【請求項１７】
環境（Ａ）が壁を有し、前記光源（２ｉｊ）が、前記環境（Ａ）の前記壁に面するように配置されることを特徴とする、請求項１〜１６のいずれか一項に記載の方法。
【請求項１８】
命令を備えるコンピュータプログラムであって、前記プログラムがコンピュータによって実行されたとき、プロセッサに請求項１〜１０のいずれか一項に記載の方法ステップを実行させるコンピュータプログラム。
【請求項１９】
コンピュータによって実行されたとき、プロセッサに請求項１〜１０のいずれか一項に記載の方法ステップを実行させる命令を備えるコンピュータ可読記憶媒体。
【請求項２０】
ビデオ信号ｖ（ｔ）に基づいて環境（Ａ）を照明する照明システム（ＩＳ）であって、
前記環境（Ａ）に配置された複数の照明ユニット（２ｉ）であり、ｉ＝１，．．．，Ｎであり、Ｎが正の整数であり、
前記照明ユニット（２１，．．．，２ｉ）がそれぞれ、複数の光源（２ｉｊ）を備え、ｊ＝１，．．．，Ｍであり、Ｍが正の整数である、複数の照明ユニット（２ｉ）と、
前記ビデオ信号ｖ（ｔ）の獲得のためにビデオ信号源（Ｔ）を接続することができる制御論理ユニット（１）と、
を備え、
前記制御論理ユニット（１）が、前記照明ユニット（２ｉ）に動作可能に接続され、これにより前記制御論理ユニット（１）が、前記光源（２ｉｊ）のそれぞれを独立して駆動することができ、
前記制御論理ユニット（１）が、請求項１〜１０のいずれか一項に記載の方法の段階を実行するように構成される、照明システム（ＩＳ）。
【請求項２１】
前記制御論理ユニット（１）が、
前記ビデオ信号ｖ（ｔ）を獲得する信号獲得ユニット（１０）と、
獲得した前記ビデオ信号ｖ（ｔ）を処理して、前記光源（２ｉｊ）のそれぞれの時間駆動信号
【数３２】
2020532821.tif 000101
を得る信号処理ユニット（１１）と、
ｉ＝１，．．．，Ｎの複数の駆動ユニット（１２ｉ）であり、前記複数の駆動ユニット（１２ｉ）がそれぞれ、各光源（２ｉｊ）の前記駆動信号に基づいて、前記駆動ユニットに関連付けられたそれぞれの照明ユニット（２ｉ）の前記光源（２ｉｊ）を駆動するように構成される、複数の駆動ユニット（１２ｉ）と、
を備えることを特徴とする、請求項２０に記載のシステム（ＩＳ）。
【請求項２２】
前記光源（２ｉｊ）が、多色ＬＥＤを備えることを特徴とする、請求項２０又は２１に記載のシステム。
【請求項２３】
前記制御論理ユニット（１）が、ブルートゥース（登録商標）、赤外線など、有線及び／又は無線で前記照明ユニット（２ｉ）に接続されることを特徴とする、請求項２０〜２２のいずれか一項に記載のシステム。
【請求項２４】
使用者の視点及び前記ビデオ信号源（Ｔ）の両方に対する事前定義された遠近法に応じて前記環境（Ａ）に前記照明ユニット（２）を配置することを可能にするように構成された超音波信号レーザポインタなどの位置決めデバイス（１４）を備えることを特徴とする、請求項２０〜２３のいずれか一項に記載のシステム。
【発明の詳細な説明】
【技術分野】
【０００１】
本発明は、使用者によって観察される画像の遠近色知覚を改善する照明方法及びシステムに関する。
【０００２】
本発明は、ビデオ信号に応じて環境自体の中にいる使用者によって観察される画像の色度知覚を強化するために環境を照射するように設計及び製造された上記のタイプの方法及びシステムに関し、そのような方法及びシステムは、ビデオ信号の処理が必要とされる任意のデバイス又は機器において使用することができる。
【０００３】
以下の説明では、プラズマ又はＬＥＤ  ＴＶ、プロジェクタ、スマートフォン、タブレット、映写スクリーンなどのディスプレイに再現される画像の周辺色知覚を改善する方法及び周囲照明システムに焦点を当てるが、この特有の用途に限定されると考えるべきではないことが明らかである。
【背景技術】
【０００４】
近年、使用者の視覚体験を改善することができる周囲照明システムの革新的な進化が見られている。
【０００５】
ディスプレイによって再現される画像の明るさ又は使用者によって観察される画像の特定の領域の色に関する情報の処理により、そのようなディスプレイに設置された光源を駆動することを可能にする様々な技術的解決策が開発されている。
【０００６】
関連する従来技術には、米国特許出願公開第２０１２／２６２０７２号及び国際公開第２００８／１１０９７３号が含まれる。
【０００７】
米国特許出願公開第２０１２／２６２０７２号に記載されている解決策は、一般に壁に位置決めされた映写スクリーン又はディスプレイと複数の光源とを備える映画館で周囲照明効果を提供するのに好適な方法である。
【０００８】
同特許出願に記載されている解決策は、画像コンテンツに関連付けられた優位色又はその画像における優位オブジェクトを判定することで、スクリーンに示される一連の画像又はビデオの分析を可能にする。
【０００９】
国際公開第２００８／１１０９７３号に記載されている解決策は、投影面へ投影された静的又は動的画像に基づいて環境の明るさを制御する方法を参照する。
【００１０】
さらに詳細には、この方法は、そのような表面又はＴＶに投影される画像に基づいて、ＴＶなどの投影面の周りの空間の照射を可能にする。
【発明の概要】
【００１１】
しかし、上述した特許出願に記載されている技術的解決策並びに他の知られている解決策には欠点が見られる。
【００１２】
これらの既存の解決策の第１の欠点は、使用者の周辺視野を常に考慮に入れているとは限らないことにある。
【００１３】
そのような知られている解決策の追加の欠点は、使用者の視野の中心付近で生成されるものに等しい周囲照明を単に再現していることにある。
【００１４】
従来技術の解決策の別の欠点は、相当な色度のばらつきがある非常に複雑な画像の場合、投影される照明は色を忠実に再現しない傾向があり、多くの場合、ディスプレイに示される画像に対応しない白色又は白色に近い光の効果を表示することである。
【００１５】
本発明の目的は、スクリーンなどで使用者によって観察される画像に関連する色度照射及び相対色度知覚を改善することが可能な照明システムを提供することで、従来技術に提案されている解決策によって述べた欠点を克服することである。
【００１６】
本発明の別の目的は、使用者によって観察される画像に関連する色度情報を強化することが可能な照明システムを提供することである。
【００１７】
本発明の別の目的は、使用者の目の応答時間を考慮して使用者の目の周辺視野を没頭させる照明システムを提供することである。
【００１８】
本発明の別の目的は、使用者によって観察される情景にさらなる集中性を提供することで、使用者の視覚的影響を改善する照明システムを提供することである。
【００１９】
本発明の別の目的は、ビデオ信号の処理によって判定される可変の色度遠近を生成することが可能な照明システムを提供することである。
【００２０】
本発明の別の目的は、使用者によって観察される情景と相互作用する独立した光源を装備した照明システムを提供することである。
【００２１】
本発明の別の目的は、使用者の周りの色又は色分布の「サラウンド」体験を再現することが可能な照明システムを提供することである。
【００２２】
本発明の別の目的は、従来技術と比較すると非常に信頼性が高く、比較的簡単に製造でき、コスト競争力のある照明システムを提供することである。
【００２３】
上記その他の結果は、任意のタイプのスクリーンのための本発明による照明システムによって達成され、この照明システムは、それぞれ特定の数の照明ユニットを備える発光列であり、その値がスクリーンのサイズ、分解能、及び所望の光強度に応じて変動する発光列と、これらの光列がスクリーンの側部に少なくとも２対に配置されることを特徴とする制御ユニットとを備える。制御ユニットは、ビデオ信号を獲得し、そのビデオ信号を適当に変換することが可能なデータ獲得ユニットと、データ獲得ユニットによって獲得されたデータ、発光列の対の数、各列の照明ユニットの数、及び所望の遠近効果に基づいて、各発光列の各個別照明ユニットの色を処理するデータ処理ユニットと、適当なコマンドを発光列へ伝送しながら、同時に必要とされる電力を発光列に供給する、発光列の数に等しい複数の制御ユニットとを備える。
【００２４】
上述した結果はまた、照明システムにより、デバイスの制御ユニットがデータ獲得ユニットによって獲得される画素で動作することが実現され、これらの画素が外縁部から開始して中心までマクロ列に分割され、列の幅（すなわち、使用される画素の数）が所望の遠近効果に依存し、マクロ列同士の間で可変とすることができることによって達成される。各列は、発光列に存在する照明ユニットの数に等しい同一の数の領域に分割される。各マクロ領域に対する制御ユニットは、マクロ領域における各画素の色の平均、マクロ領域の主色、又はこれら２つのデータの混合を処理する。
【００２５】
本発明による結果はまた、最後の発光列に到達するまで、画像の縁部に最も近いマクロ列に関する色データをスクリーンの縁部から最も遠い光列へ送ることなどによって遠近効果が得られる照明システムによって達成される。
【００２６】
本発明によるシステムはまた、スクリーンに最も近い光列から開始して、１つの光列と次の光列との間の時間遅延に入ることによって、遠近効果が得られることを可能にする。
【００２７】
システムの遠近効果は、縁部に最も近いマクロ列を主列として使用することによって得られ、制御ユニットは、各マクロ領域の色データの初期処理を実施し、このデータをスクリーンに最も近い光列に関連付ける。
【００２８】
後続の各列に対して、制御ユニットは、データ処理に使用されるマクロ領域の数を低減させ、したがってスクリーンに最も近い列とスクリーンから最も遠い列との間でフェード効果を生じさせる。
【００２９】
加えて、照明システムは、縁部に最も近いマクロ列を主列として使用することによって得られる遠近効果を提供し、制御ユニットは、各マクロ領域の色データの初期処理を実施し、このデータをスクリーンに最も近い光列に関連付ける。後続の各列に対して、制御ユニットは、スクリーンに最も近い列とスクリーンから最も遠い列との間で色調を徐々に変化させる。
【００３０】
したがって、本発明の特有の目的は、複数の光源によって環境を照射する照明方法であって、ｉ＝１，．．．，Ｎであり、Ｎが正の整数であり、ｊ＝１，．．．，Ｍであり、Ｍが正の整数であり、この方法が、Ａ．ビデオ信号ｖ（ｔ）を獲得するステップであり、各フレームの画像が複数のボックスに分割される、獲得するステップと、Ｂ．ビデオ信号ｖ（ｔ）を複数のビデオ信号ボックスｖｉｊ（ｔ）に細分するステップであり、複数のビデオ信号ボックスがそれぞれ、それぞれのボックスに表示される各フレームの画像部分に関連付けられる、細分するステップと、Ｃ．フレームビデオ信号ｖｉｊ（ｔ）を周波数処理して、各ボックスビデオ信号ｖｉｊ（ｔ）に関連付けられたそれぞれの輝度信号のスペクトル
【数１】
2020532821.tif 000002
及び色度信号のスペクトル
【数２】
2020532821.tif 000003
を得るステップと、Ｄ．各ボックスビデオ信号ｖｉｊ（ｔ）に関連付けられた輝度信号スペクトル
【数３】
2020532821.tif 000004
の優位周波数帯を抽出するステップと、Ｅ．各ボックスビデオ信号ｖｉｊ（ｔ）に関連付けられた色度信号スペクトル
【数４】
2020532821.tif 000005
の優位周波数帯を抽出するステップと、Ｆ．輝度信号の処理済みスペクトルと色度信号の処理済みスペクトルとを加算するステップと、Ｇ．光源のそれぞれの時間駆動信号
【数５】
2020532821.tif 000006
を得るステップとから構成される方法である。
【００３１】
本発明によれば、段階Ｂで、各ボックスに対する各画像フレームの行をすべて分割して、画像のボックスに関連付けられた複数のビデオ信号ｖｉｊ（ｔ）を得ることができる。
【００３２】
本発明によれば、段階Ｃは、Ｃ１．各ボックスに対するボックスビデオ信号ｖｉｊ（ｔ）を周波数変換する部分段階と、Ｃ２．ボックスビデオ信号
【数６】
2020532821.tif 000007
を周波数フィルタリングして、各ボックスに関連付けられた輝度信号のスペクトル
【数７】
2020532821.tif 000008
及び色度信号のスペクトル
【数８】
2020532821.tif 000009
を得る部分段階とから構成することができる。
【００３３】
本発明によれば、段階Ｄは、Ｄ１．各ボックスに関連付けられた各輝度信号のスペクトル
【数９】
2020532821.tif 000010
の最大値
【数１０】
2020532821.tif 000011
に関連付けられた最大瞬時周波数
【数１１】
2020532821.tif 000012
を周波数検出する部分段階と、Ｄ２．周波数
【数１２】
2020532821.tif 000013
前後の輝度信号スペクトル
【数１３】
2020532821.tif 000014
をフィルタリングして、各ボックスに関連付けられたフィルタリング済み輝度スペクトル
【数１４】
2020532821.tif 000015
を得る部分段階とを含むことができることが有利である。
【００３４】
本発明によれば、段階Ｄ２で、所定の帯域幅
【数１５】
2020532821.tif 000016
に対する瞬時最大周波数
【数１６】
2020532821.tif 000017
前後で帯域通過フィルタリングを実行して、フィルタリング済み輝度信号のスペクトル
【数１７】
2020532821.tif 000018
を得ることができる。
【００３５】
本発明によれば、段階Ｅは、Ｅ１．各ボックスに関連付けられた各色度信号のスペクトル
【数１８】
2020532821.tif 000019
の最大値
【数１９】
2020532821.tif 000020
に関連付けられた最大瞬時周波数
【数２０】
2020532821.tif 000021
を周波数検出する部分段階と、Ｅ２．周波数
【数２１】
2020532821.tif 000022
前後で色度信号スペクトル
【数２２】
2020532821.tif 000023
をフィルタリングして、各ボックスに関連付けられたフィルタリング済み色度スペクトル
【数２３】
2020532821.tif 000024
を得る部分段階とから構成することができることが好ましい。
【００３６】
本発明によれば、段階Ｅ２で、所定の帯域幅
【数２４】
2020532821.tif 000025
に対する瞬時最大周波数
【数２５】
2020532821.tif 000026
前後で帯域通過フィルタリングを実行して、フィルタリング済み色度信号のスペクトル
【数２６】
2020532821.tif 000027
を得ることができる。
【００３７】
本発明によれば、段階Ｆは、輝度信号のフィルタリング済みスペクトル
【数２７】
2020532821.tif 000028
と色度信号のフィルタリング済みスペクトル
【数２８】
2020532821.tif 000029
とを加算するステップを含むことができる。
【００３８】
本発明によれば、段階Ｇで、輝度信号のフィルタリング済みスペクトル
【数２９】
2020532821.tif 000030
と色度信号のフィルタリング済みスペクトル
【数３０】
2020532821.tif 000031
との和の逆フーリエ変換によって、光源のそれぞれの時間駆動信号
【数３１】
2020532821.tif 000032
を得ることができることが有利である。
【００３９】
本発明によれば、ビデオ信号ｖ（ｔ）は、テレビジョン、スマートフォン、タブレット、プロジェクタなどのディスプレイに表示されることが意図されたタイプとすることができる。
【００４０】
本発明によれば、これらの光源は、複数の照明ユニットに設置することができ、ｉ＝１，．．．，Ｎであり、Ｎが正の整数であり、照明ユニットは、環境（Ａ）に配置されることが好ましい。
【００４１】
本発明によれば、各照明ユニットは、１つ又は複数の光源のサブセットを備えることができる。
【００４２】
本発明によれば、各照明ユニットの１つ又は複数の光源のサブセットのうちの光源はそれぞれ、各フレームの画像のボックスのそれぞれのサブセットに対応することができ、したがってボックスのサブセットのうちのボックスはそれぞれ、同じサブセットのうちの少なくとも１つの他のボックスに隣り合う。
【００４３】
本発明によれば、ボックスのサブセットは、１列のパネルであり、ボックスは垂直に配置され、各照明ユニットの光源のサブセットは、垂直に配置することができる。
【００４４】
加えて、本発明によれば、ボックスの列は、ボックスの列がすべて同じであるが、画像の側部の方へ配置されたボックスの列に比べて、画像の中心に対応するボックスの列に対して徐々に減少する幅を有し、ボックスの列が、画像の中心を通過して画像を分割する垂直軸線に対して対称の寸法である構成、ボックスの列が、異なる高さ及び異なる幅を有し、ボックスの列の高さ及び幅がどちらも、画像の縁部の方へ配置されたボックスの列に比べて、画像の中心に対応するボックスの列に対して徐々に減少し、ボックスの列が、画像の中心を通過して画像を垂直及び水平に分割する垂直軸線及び水平軸線に対して対称の寸法である構成、ボックスの列がすべて同じ幅を有するが、画像のより高い側部及びより短い側部の方へ配置されたボックスの列に比べて、画像の中心に対応するボックスの列に対して減少する高さを有し、ボックスの列が、画像の中心を通過して画像を分割する水平軸線に対して対称の寸法である構成のうちの１つに応じて成形される。
【００４５】
本発明によれば、方法は、各照明ユニットの光源を、他の光源に対して時間遅延で駆動することができることが好ましい。
【００４６】
本発明によれば、環境が壁を有する場合、光源は、環境の壁に面するように配置することができる。
【００４７】
本発明の別の特有の目的は、命令を備えるコンピュータプログラムであって、プログラムがコンピュータによって実行されたとき、プロセッサに上述した方法段階を実行させるコンピュータプログラムである。
【００４８】
本発明の特有の目的はまた、コンピュータによって実行されたとき、プロセッサに上述した方法段階を実行させる命令を備える可読記憶媒体である。
【００４９】
本発明の別の目的は、ビデオ信号ｖ（ｔ）に基づいて環境を照射する照明システムであって、環境に配置された複数の照明ユニットであり、ｉ＝１，．．．，Ｎであり、Ｎが正の整数であり、照明ユニットがそれぞれ、複数の光源を備え、ｊ＝１，．．．，Ｍであり、Ｍが正の整数である、複数の照明ユニットと、ビデオ信号ｖ（ｔ）の獲得のためにビデオ信号源を接続することができる制御論理ユニットであり、制御論理ユニットが照明ユニットに動作可能に接続され、したがって制御論理ユニットが、光源のそれぞれを独立して駆動することができ、制御論理ユニットが、上述した方法段階を実行するように構成される、制御論理ユニットとを備える照明システムである。
【００５０】
本発明によれば、制御論理ユニットは、ビデオ信号ｖ（ｔ）の獲得のための信号獲得ユニットと、獲得したビデオ信号ｖ（ｔ）を処理して、光源のそれぞれの時間駆動信号
【数３２】
2020532821.tif 000033
を得る信号処理ユニットと、ｉ＝１，．．．，Ｎの複数の駆動ユニットであり、複数の駆動ユニットがそれぞれ、各光源の駆動信号に基づいて、その駆動ユニットに関連付けられたそれぞれの照明ユニットの光源を駆動するように構成される、複数の駆動ユニットとを備えることができる。
【００５１】
本発明によれば、光源は、多色ＬＥＤを備えることができる。
【００５２】
本発明によれば、制御論理ユニットは、ブルートゥース（Ｂｌｕｅｔｏｏｔｈ）（登録商標）、赤外線など、有線及び／又は無線で照明ユニットに接続することができることが有利である。
【００５３】
本発明によれば、システムは、使用者の視点及びビデオ信号源の両方に対する事前定義された遠近法に応じて環境に照明ユニットを配置することを可能にするように構成された超音波信号レーザポインタなどの位置決めデバイスを備えることができる。
【図面の簡単な説明】
【００５４】
本発明について、本発明の好ましい実施形態を示す添付の図面を参照しながら、本発明の範囲を限定することなく、例として次に説明する。
【図１】本発明による照明システムの一実施形態を示す図である。
【図２】図１に示す照明システムを制御するマスタユニットの一実施形態のブロック図である。
【図３】図１に示す照明システムの複数の照明ユニットを概略的に示す図である。
【図４】図１に示すディスプレイスクリーンで再現又は観察される複数のボックス列を示す図である。
【図５】図３及び図４に示すディスプレイのスクリーンがボックスに分割され、各ボックスがそれぞれの光源に関連付けられることを概略的に示す図である。
【図６】ビデオ信号の周波数スペクトルの例示的な方式を示す図である。
【図７】図４に示すパネルの各列に対するディスプレイスクリーンのそれぞれの画素行列に関連付けられた複数のボックスを示す図である。
【図８】図４に示すディスプレイスクリーンで再現又は観察される複数のボックス列のさらなる実施形態を示す図である。
【図９】図４に示すディスプレイスクリーンで再現又は観察される複数のボックス列のさらなる実施形態を示す図である。
【図１０】図４に示すディスプレイスクリーンで再現又は観察される複数のボックス列のさらなる実施形態を示す図である。
【図１１】本発明による使用者によって観察される画像の色の遠近知覚を改善する照射方法の一実施形態を示す流れ図である。
【図１２】図１１に示す強度及び色信号の処理の追加の実施形態を示す流れ図である。
【図１３】本発明による照明ユニットを位置決めするデバイスを示す図である。  様々な図面において、類似の部分は同じ参照番号で示す。
【発明を実施するための形態】
【００５５】
よく知られているように、複合ビデオ信号は典型的に、
輝度信号、
色度信号、
同期信号という３つの主要素から構成される。
【００５６】
輝度信号は、スクリーンに画像を構成する個別の点の明るさレベルに関係する情報を提供するビデオ信号の成分である。輝度信号は、画像の白色及び黒色に関する情報を搬送する。
【００５７】
さらに詳細には、ビデオ信号のこの成分は、鮮明で明瞭な（黒色及び白色の）画像を伝送するために、高い帯域幅（典型的には、最高５ＭＨｚ）を必要とする。
【００５８】
一方、色度信号は、画像の色に関する情報を含む。この信号は、搬送波（ＮＴＳＣ信号（「米国テレビジョン標準委員会」）の場合は３．５８ＭＨｚ、ＰＡＬ信号（「位相反転線」）の場合は４．４３ＭＨｚ）を変調する２つの直交成分からなる。
【００５９】
色情報が使用する帯域幅は輝度信号が占める帯域より小さく、０．６ＭＨｚ〜１．３ＭＨｚの範囲である。
【００６０】
ディスプレイスクリーンにおけるビデオ信号の電子走査を制御するために必要とされる同期情報は、水平同期信号及び垂直同期信号を含む。
【００６１】
水平同期信号は、行末条件を示し、垂直同期信号は、時間的にフィールド又は「フレーム」同士、すなわち画像が分割される１組の線同士の間に配置される。
【００６２】
上記に基づいて、輝度信号及び同期信号は、いわゆる単色複合信号を構成し、これはまた「Ｙ」の文字によって示される。色度信号は、「Ｃ」の文字によって表される。
【００６３】
前述したように、本発明は、使用者の周辺視野を直接没頭させる。
【００６４】
周辺視野とは、人間の視野のうち目の中心の外側に位置する部分である。この視野は、人間の視野のうち最も大きい部分を形成する。例として、一般的な視野は約７０°に等しく、その約１００°が周辺視野に関係する。
【００６５】
周辺視野は、
８°〜３０°の「近周辺」視野
３０°〜６０°の「中周辺」視野、及び
６０°〜１００°／１１０°の「遠周辺」視野という視野領域に分割される。
【００６６】
近周辺視野と中周辺視野との間の境界は、視覚機能の異なる特徴に基づいている。視力は、中心から最大３０°まで、２．５°につき約５０％減少し、３０°ではより迅速に低下する。
【００６７】
しかし、特に細部及び形状の区別に関する限り、人間の周辺視野は弱い。
【００６８】
これは、網膜内の受容器及び神経節細胞の密度が、視野の極端に比べて視野の中心ではるかに大きいことによる。視覚野で人間の目によって知覚される像の表現は、中心窩の対応する部分より視野の周辺部分ではるかに低い。
【００６９】
周辺視野の主な機能は、
中心窩視への集束を必要とすることなく、よく知られている構造及び形状を認識すること、
類似の形状及び動きを識別すること（ゲシュタルト心理学）、並びに
詳細な視覚の背景を形成する感覚を解放することである。
【００７０】
知られているように、遠近という用語は、２次元の表面で第３の次元の効果に達するための空間内の物体の表現を指す。
【００７１】
本発明では、遠近技法は逆に使用され、すなわち使用者によって観察される画像などの２次元の表面から開始して、空間の３つの次元を表すために使用される。
【００７２】
概して、遠近技法では、「視点」という表現は観察者の位置に関連し、「水平線」とは、観察者の目の前を通る想像上の線である。
【００７３】
さらに、「消失点」とは、すべての消失線が収束する水平線上に位置する点であり、すなわち消失点から逸脱する線が、空間的な深さの効果をもたらす。
【００７４】
本発明の技術的解決策で使用される遠近法のタイプは、中心遠近（「単一消失点」とも呼ばれる）である。
【００７５】
この遠近法は、描写すべき対象の１つの側面が投影平面に平行であるときに使用される。この遠近法では、観察される物体が観察者に面していると仮定する。そのような条件下で、遠近線はすべて、水平線上に位置する中心焦点の方へ収束する。消失線、深さ線は、単一の消失点へ収束する。
【００７６】
本発明では、この遠近構造の構成は、３次元空間の境界を決定するように機能し、消失線は、消失点、たとえば観察される情景及び水平線に対して輪郭を構成し、照明ユニットの厳密な位置を確立する。
【００７７】
本明細書に提案する遠近システムは、情景の現実を再現するのではなく情景の拡張現実を表し、すなわち拡張現実は、人間の意識が周辺視野を介して潜在的に知覚することができる。
【００７８】
本発明の一実施形態では、複数の照明ユニットが、消失線に直交して配置される。そのような消失線は、消失点とともに、観察される情景に対応して、使用者の周辺視野の角度に対して、ｌ００°〜０°の間に含まれる角度を形成する。
【００７９】
本説明の継続出願に詳細に記載されているように、本発明は、色を使用した視覚体験の再現により、周辺空間内の観察される情景に対する色度遠近を再現することを可能にし、これは遠近システムによって構成される。
【００８０】
特に、本明細書に提案する照明システムは、色度及び空気遠近の技法を使用する。
【００８１】
空気遠近と相補形である色度遠近は、色学における規則及び経験を適用することによって強調される。
【００８２】
空気遠近は、距離に関連する光の強度及び色調の影、介在する空気層の厚さ、並びに光源の位置の変動を探す表現の形態である。
【００８３】
これらの技法は、幾何遠近だけでは人間の視野の特徴によって現実的及び調和的に完全に表すことができない視野の深さの効果を補完する。
【００８４】
図１を参照すると、全体としてＩＳによって示されている本発明による照明システムが観察され、照明システムは、ビデオ信号源に接続可能な制御論理ユニット１を備え、この場合、ビデオ信号源は、ビデオ信号の画像を表すためのスクリーン又はフレーム３を有するＴディスプレイである。当該の場合、Ｔディスプレイはテレビジョンである。
【００８５】
照明システムＩＳはまた、複数の照明ユニット２１，．．．，２ｉを備え、ｉ＝１，．．．，Ｎであり、Ｎは正の整数であり、照明ユニット２１，．．．，２ｉは、壁に面して壁を照射するように環境Ａに配置される。
【００８６】
ビデオ信号源は、ＴＶアンテナ（地上又は衛星）、ペンドライブ、外付けハードディスク、インターネット、ビデオカメラなどの任意のタイプとすることができる。
【００８７】
とりわけ、その動作のために、照明システムＩＳは、スクリーン（ＴＶシネマなど）を必要とするのではなく、必須ではないが、スクリーンに表示されることが意図されたビデオ信号のみを必要とし、関係なく機能する。
【００８８】
スクリーンを備えたＴディスプレイが接続される場合、スプリッタなどが元のビデオ信号（制御論理ユニット１に入力されたものと同じ）を増倍するために、ビデオ信号増倍器を提供することができる。
【００８９】
図２及び図３を参照すると、照明ユニット２ｉのそれぞれが制御論理ユニット１に動作可能に接続されていることが観察される。
【００９０】
各照明ユニット２ｉは、次に複数の光源２ｉｊを備え、ｊ＝１，．．．，Ｍであり、Ｍは正の整数である（二重下付き文字は、第２ｉの照明ユニットのうちの第ｊの光源という番号付けを示す）。光源２ｉｊに関するさらなる詳細は、以下の説明に提供される。
【００９１】
制御論理ユニット１は、ビデオ信号源Ｔからくるビデオ信号を検出、処理、及び伝送するように構成される。
【００９２】
図１に示すように、制御論理ユニット１は、テレビジョンＴであるが任意の異なるビデオ信号源とすることもできる図１に示すものなどの信号源からビデオ信号ｖ（ｔ）を受け取る入口又は入力１３と、入力１３に接続された信号獲得ユニット１０と、信号獲得ユニット１０に接続された信号処理ユニット１１と、複数の制御又は駆動ユニット１２１，．．．，１２ｉとを備え、ｉ＝１，．．．，Ｎである。
【００９３】
各制御ユニット１２ｉは、それぞれの照明ユニット２ｉに関連付けられる。
【００９４】
より具体的には、各制御ユニット１２は、それぞれの光源２ｉｊに対して複数の出力Ｏｉｊを含み、ｉ＝１，．．．，Ｎ、ｅｊ＝１，．．．，Ｍである。
【００９５】
特に、制御ユニット１２はそれぞれ、複数の接続ｊによってそれぞれの第ｉの照明ユニット２ｉを制御するように構成され、複数の接続ｊはそれぞれ、光源２ｉｊに関係する。添え字ｉ及びｊはそれぞれ、照明ユニット及び各照明ユニットの光源を分類し、又はそれらに番号を付ける。
【００９６】
信号獲得ユニット１０は、制御論理ユニット１に入るビデオ信号ｖ（ｔ）を獲得するように構成される。
【００９７】
特に、一実施形態では、信号獲得ユニット１０は、入ってくるビデオ信号ｖ（ｔ）に関連付けられた色度情報及び輝度情報を分離又は処理することを可能にする。
【００９８】
本発明の一実施形態では、信号獲得ユニット１０は、入ってくるビデオ信号ｖ（ｔ）からの輝度信号及び色度信号の抽出を可能にする低域通過、広域通過、帯域通過、及び／又はノッチフィルタを備えることができるフィルタリング手段（図示せず）を備える。
【００９９】
当然ながら、従来技術による輝度信号及び色度信号のフィルタリング動作の変種も排除されない。
【０１００】
信号処理ユニット１１は、以下にさらに説明するように、場合により独立して信号獲得ユニット１０からくる輝度信号及び色度信号を処理して、場合によりＴディスプレイのスクリーンで再現可能な入ってくるビデオ信号ｖ（ｔ）の各フレーム３の所与のボックス（又は領域若しくは部分）の優位色に関する情報を抽出するように構成される。
【０１０１】
さらに、信号処理ユニット１１は、この情報を制御ユニット１２１，．．．，１２ｉへ送るようにさらに構成され、制御ユニット１２１，．．．，１２ｉはそれぞれ、それぞれの照明ユニット２ｉに関連付けられている。
【０１０２】
信号処理ユニット１１に接続された各制御ユニット１２ｉは、信号処理ユニット１１から色度情報を受け取り、それぞれの照明ユニット２ｉを駆動する。
【０１０３】
特に、前述したように、各制御ユニット１２ｉは、各光源２ｉｊを独立して駆動するために複数の出力Ｏｉｊを備え、光源２ｉｊは、たとえば各照明ユニット２ｉの多色ＬＥＤとすることができる。
【０１０４】
さらに詳細には、制御ユニット１２のそれぞれと照明ユニット２のそれぞれの光源２ｉｊとの間の接続は、直列接続又は並列接続、無線接続、赤外線、ブルートゥースなど（図示せず）を備えることができる。
【０１０５】
一実施形態では、各照明ユニット２は、７２個のＲＧＢ  ＬＥＤ（「赤緑青」）を含み、これらのＬＥＤはそれぞれ、Ｉ２Ｃプロトコル（「集積回路間」）を介して動作可能な定電流ドライバによって動作される。
【０１０６】
例として、本発明の照明システムＩＳの制御論理ユニット１は、３つの出力チャネルを備えたＷＳ８０１ドライバを備えることができ、これらの出力チャネルはそれぞれ、最大１５０ｍＡの定電流を供給することができる（そのようなチャネルはＬＥＤに直接接続され、各色に対して１つのチャネルが設けられる）。
【０１０７】
集積回路は、Ｉ２Ｃプロトコルによって動作可能である（各フレームは、８ビットデータの３つのシーケンスによって伝送され、したがって各フレームに対して２４ビットが存在する）。
【０１０８】
前述したように、本発明は、複数の照明ユニット２１，．．．，２ｉを備え、複数の照明ユニット２１，．．．，２ｉはそれぞれ、使用者によって観察される情景と実時間で相互作用する。
【０１０９】
特に、この相互作用の時間間隔は、使用者の網膜／中心窩に形成される像の印加から、人間の目によってその像が実際に知覚される瞬間に延びる。
【０１１０】
生成される効果は、視覚データにおける信号の獲得、処理、及び伝送のプロセスの結果であり、そのようなプロセスは、典型的に、例として１０分の１秒の速度で行われる。
【０１１１】
一例として、約１０分の１秒で、システムは、少なくともすべての色を２回仮想メモリに記録することが可能であり、これらの色は個別の照明ユニット２ｉへ連続して伝送される。
【０１１２】
図５を特に参照すると、制御論理ユニット１は、入ってくるビデオ信号ｖ（ｔ）の各フレーム３を、Ｔディスプレイのスクリーン上の画素行列に関連付けられたそれぞれのボックス３ｉｊに対応する部分に分割することを可能にする。
【０１１３】
図５で、入ってくるビデオ信号ｖ（ｔ）に関連付けられた又は入ってくるビデオ信号ｖ（ｔ）を構成する各フレーム３は、簡単にするために、例として均一のボックスに細分されている。
【０１１４】
この制御論理ユニット１は、各フレーム３の画像、したがって入ってくるビデオ信号ｖ（ｔ）を、ボックスの行及びフレームの列に分割する。
【０１１５】
したがって、各フレーム３の画像は、フレーム３ｉｊのＮ×Ｍの行列に細分される。各ボックス３ｉｊは、次に複数の画素によってＴディスプレイのスクリーンに表される。
【０１１６】
各ボックス３ｉｊは、第ｉの照明ユニット２ｉのそれぞれの光源２ｉｊに関連付けられている。
【０１１７】
以下でさらに説明するように、より具体的には、各制御ユニット１２は、それぞれのボックス３ｉｊに対してボックスビデオ信号ｖｉｊ（ｔ）で実行される計算に基づいて各照明ユニット２の各光源２ｉｊを駆動し、強度及び優位色などのデータを抽出する。
【０１１８】
上述した図５では、ボックス３３２とそれぞれの光源２３２との間の関連付けが示されている。
【０１１９】
次いで、この色の強度及び明るさが多色ＬＥＤなどの光源２ｉｊによって環境に再現され、たとえば環境Ａの壁に投影されて、好適な色度効果をもたらす。
【０１２０】
この図では（図６も参照されたい）、照明ユニット２ｉは垂直であり、垂直に配置された複数の光源２ｉｊを提供し、各光源２ｉｊは、ビデオ信号ｖ（ｔ）の各フレーム３の各画像のボックス３の各列のボックス３ｉｊに対応する。
【０１２１】
照明ユニット２は、美的に評価できる態様を有するハウジング（図示せず）に配置することができ、したがってそのようなハウジングはまた、光源２ｉｊの照射手段から放出される側が開いている装飾品とすることができる。
【０１２２】
本発明による照明システムＩＳがビデオ信号ｖ（ｔ）を処理する方法の一実施形態は、次のように行われる。
【０１２３】
図１１を参照すると、制御論理ユニット１によって実行される概略的な動作段階を示す流れ図１００が見られる。
【０１２４】
特に、信号獲得ユニット１０が信号源からビデオ信号ｖ（ｔ）を受け取る段階１１０におけるビデオ信号の獲得に続いて、ビデオ信号ｖ（ｔ）は信号処理ユニット１１へ送られる。
【０１２５】
細分段階１２０で、信号処理ユニット１１は、ボックス３ｉｊに対するビデオ信号を検出し、ビデオ信号ｖ（ｔ）の各ボックス３の画像は、入ってくるときに分割される。
【０１２６】
さらに詳細には、ビデオ信号が行ごとに変調されることを考慮して、この段階で、各フレームの行のすべてが各ボックス３ｉｊに対して細分され、各ボックスに関連付けられたボックスのビデオ信号ｖｉｊ（ｔ）が時間とともに得られる。
【０１２７】
続いて、信号処理ユニット１１は、周波数フィルタリングステップ１３０を実行し、各ボックスビデオ信号ｖｉｊ（ｔ）の時間ビデオ信号に関連付けられた輝度信号
【数３３】
2020532821.tif 000034
及び色度信号
【数３４】
2020532821.tif 000035
がそれぞれ得られる。
【０１２８】
最後に、２つの並列した輝度信号のスペクトルの段階１４０及び色度信号のスペクトルの段階１５０において、各ボックスビデオ信号ｖｉｊ（ｔ）の輝度信号及び色度信号のスペクトルが処理されて、各照明ユニット２ｉの光源２ｉｊのそれぞれの放出される光強度及び色が駆動される。
【０１２９】
次いで、光源２ｉｊの駆動信号は光源へ送られ、所望の効果が実時間で得られる。
【０１３０】
図１２を参照すると、方法の一実施形態では、周波数処理ステップ１３０が、各ボックス３ｉｊに関する各ボックスのビデオ信号ｖｉｊ（ｔ）の周波数変換
【数３５】
2020532821.tif 000036
の部分段階１３１を提供し、これはＦ｛・｝による知られているフーリエ変換動作を示す。
【０１３１】
この動作は、ＤＦＴ（「離散フーリエ変換」）、ＦＦＴ（「高速フーリエ変換」）、ＤＣＴ（「離散コサイン変換」）などの従来技術の手順による様々な方法で実行することができる。
【０１３２】
この場合も、知られている周波数フィルタリング動作１３２によって、ビデオ信号の各ボックス３ｉｊに関連付けられた輝度信号
【数３６】
2020532821.tif 000037
及び色度信号
【数３７】
2020532821.tif 000038
の前述のスペクトルを得ることが可能である。
【０１３３】
スペクトルに関して、フーリエ変換の
【数３８】
2020532821.tif 000039
の線形特性が存在する。
【０１３４】
図６を参照すると、各フレーム３の各ボックス３ｉｊに対して、輝度信号を処理する段階１４０は、各ボックス３ｉｊに関連付けられた輝度信号スペクトル
【数３９】
2020532821.tif 000040
の最大
【数４０】
2020532821.tif 000041
に対応する周波数値
【数４１】
2020532821.tif 000042
を検出する初期部分段階１４１を含む。
【０１３５】
続いて、最大周波数
【数４２】
2020532821.tif 000043
前後の輝度信号スペクトル
【数４３】
2020532821.tif 000044
の帯域通過フィルタリング部分段階１４２で、それぞれのフィルタリング済みスペクトル
【数４４】
2020532821.tif 000045
を得る。
【０１３６】
フィルタリング部分段階１４２は、最大周波数
【数４５】
2020532821.tif 000046
前後の事前定義された帯域
【数４６】
2020532821.tif 000047
前後で行われる。
【０１３７】
色度信号も同様に処理される。
【０１３８】
特に、図６を参照すると、各フレーム３の各ボックス３ｉｊに対して、色度信号を処理する段階１５０は、各ボックス３ｉｊに関連付けられた色度信号スペクトル
【数４７】
2020532821.tif 000048
の最大
【数４８】
2020532821.tif 000049
に対応する周波数値
【数４９】
2020532821.tif 000050
を検出する初期部分段階１５１を含む。
【０１３９】
続いて、最大周波数
【数５０】
2020532821.tif 000051
前後の色度信号スペクトル
【数５１】
2020532821.tif 000052
の帯域通過フィルタリング部分段階１５２で、それぞれのフィルタリング済みスペクトル
【数５２】
2020532821.tif 000053
を得る。
【０１４０】
フィルタリング部分段階１５２は、最大周波数
【数５３】
2020532821.tif 000054
前後の事前定義された帯域
【数５４】
2020532821.tif 000055
前後で行われる。
【０１４１】
次いで、２つのフィルタリング済みの輝度スペクトル
【数５５】
2020532821.tif 000056
と色度スペクトル
【数５６】
2020532821.tif 000057
とがともに加算される。各照明ユニット２ｉの各光源２ｉｊの時間駆動信号
【数５７】
2020532821.tif 000058
が、前述のスペクトルの和の逆フーリエ変換、すなわち
【数５８】
2020532821.tif 000059
として得られ、これは逆フーリエ変換によるＦ−１｛・｝を示す。
【０１４２】
さらなる実施形態では、それぞれ１４２及び１５２で示す輝度信号スペクトル
【数５９】
2020532821.tif 000060
及び色度信号スペクトル
【数６０】
2020532821.tif 000061
の両方の前述の帯域通過フィルタリング部分段階後、平均前後の周波数
【数６１】
2020532821.tif 000062
及び
【数６２】
2020532821.tif 000063
の平均を得て、続いて前述の最大周波数
【数６３】
2020532821.tif 000064
及び
【数６４】
2020532821.tif 000065
前後の２次スペクトルを逆変換することができ、これらの最大周波数はそれぞれ、常に
【数６５】
2020532821.tif 000066
及び
【数６６】
2020532821.tif 000067
に等しい帯域幅を有する。
【０１４３】
帯域
【数６７】
2020532821.tif 000068
及び
【数６８】
2020532821.tif 000069
の幅は異なり、可変とすることができ、並びに所望の効果に応じて判定することができる。
【０１４４】
上記の方法を使用して、純粋色（緑色、青色、赤色）が優勢であるか、それとも白色又は黒色が優勢であるかにかかわらず、いかなる色情報もまったく失うことなく、各ボックス３ｉｊの主色を強調することが可能である。
【０１４５】
図４を特に参照すると、図示の実施形態では、ビデオ信号ｖ（ｔ）のフレーム３に関連付けられたフレーム３１，．．．，３ｉの列はすべて、高さは等しいが、それぞれ幅は異なる（中心から最初のフレームはより狭く、他のフレームはより広い）。
【０１４６】
さらに詳細には、ボックス３の列はすべて同じ高さを有するが、幅は、画像の側部に位置するボックス３の列に比べて、画像の中心に対応するボックス３の列に対して徐々に減少する。加えて、ボックス３の列は、画像の中心を通過して画像を分割する垂直軸線Ｓに対して対称の寸法である。
【０１４７】
この場合、第１のボックス列（最も内側の列、したがって最も狭い列）が提供する色に関連する情報は、次の列より少ない（厳密にはより狭いため）が、そのような情報を読み取るのはより精密であり（主色を正確に検出する）、検出される光情報の強度は大きくなる。
【０１４８】
連続するフレームの列はより多くの色情報を累進的に提供するが、精密ではなくなり、検出される発光情報の強度は最後の列まで低下し、最後の列は他のすべての列より低い光強度及び彩度を提供する。
【０１４９】
図８を特に参照すると、さらなる実施形態では、ビデオ信号に関連付けられたボックス３１，．．．，３ｉの列はすべて、高さ及び幅に関して異なる。
【０１５０】
さらに詳細には、ボックス３ｉの列は、異なる高さ及び異なる幅を有し、ボックス３ｉの列に対する高さ及び幅はどちらも、画像の縁部に配置されたボックス３ｉの列に比べて、画像の中心に対応するボックス３ｉの列に対して小さくなり、徐々に減少する。ボックス３の列は、画像の中心を通過して画像を垂直及び水平に分割する垂直軸線ＳＶ及び水平軸線ＳＯに対して対称の寸法である。
【０１５１】
特に、ビデオ信号の第１のフレーム列（すなわち、最も内側の列、したがってより短くより狭い列）は、色度情報（後続の列に比べてより低い明るさ強度及びより低い彩度）を、使用者によって観察される情景のすぐ隣に位置決めされた第１の照明ユニット２ｉへ提供する。
【０１５２】
同様に、ビデオ信号の第２の列は、色度情報（第１の列より高い強度及び彩度）を次の照明ユニット２ｉへ提供し、これを信号の最後の列まで行い、最後の列は、色度情報を最後の照明ユニット２ｉへ供給する。
【０１５３】
図９を特に参照すると、本発明の追加の実施形態では、ビデオ信号に関連付けられたボックス３１，．．．，３ｉの列はすべて同じである。
【０１５４】
図１０に示すように、本発明の追加の実施形態では、ビデオ信号に関連付けられたボックス３１，．．．，３ｉの列はすべて幅は等しいが、それぞれ高さは異なる。
【０１５５】
特に、ボックス３の列はすべて同じ幅を有するが、高さは、画像のより高い側部及びより短い側部に位置するボックス３の列に比べて、画像の中心に対応するボックス３の列に対して徐々に減少する。ボックス３の列は、画像の中心を通過して画像を分割する水平軸線ＳＯに対して対称の寸法である。
【０１５６】
ビデオ信号の第１の列（すなわち、最も内側の最も短い線）は、連続するフレームの列に対する色度情報を同じ精度で提供するが、明るさ情報は異なる。
【０１５７】
様々な実施形態について事前に考慮することで、全体として参照符号ＬＳで示す照明システムを使用して、パネルの列の対を、観察される情景の縁部に配置された照明ユニットのそれぞれの対に関連付けることが可能になる。
【０１５８】
前述したように、例として、色に関連付けられた遠近効果を生成するために、軸線、たとえば垂直軸線ＳＶに対して、少なくとも２対の対称のボックス列、及びそれぞれの照明ユニット２ｉが必要とされる。
【０１５９】
例として、信号処理ユニット１１は、信号獲得ユニット１０からビデオ信号を受け取り、画像の端部から開始して、それぞれ１５、１０、及び５画素の３列のボックス３１、３２、及び３３を生じさせる。
【０１６０】
次いで、各ボックス列は７２個のフレームに分割され、信号の各ボックス３ｉｊに対して、処理ユニット１１は、ＲＧＢの組合せで表される色の平均を計算する。
【０１６１】
制御論理ユニット１は、ディスプレイ３の端部パネルに最も近い列に対する色情報を、ディスプレイ３の端部から最も遠い照明ユニット２へ伝送し、最後の照明ユニット２ｉに到達するまで以下同様である。
【０１６２】
とりわけ、中心の制御ユニット１は、各照明ユニット２ｉの光源２ｉｊを、他の光源に対する特有のそれぞれの時間的遅延で駆動して、色勾配などの所望の照明効果を得ることができる。
【０１６３】
本発明の一実施形態では、使用者によって観察される情景のすぐ近くに配置された照明ユニット２１，．．．，２ｉへ伝送される色度情報は、主色を含み、使用者によって観察される情景に関連付けられた画像と同じ強度及び彩度を有する。
【０１６４】
この色度情報は、厳密な色度傾向及び流れに応じて、連続する照明ユニットに対して異なり、したがって特有の彩度及び光度を有し、遠近効果をもたらすように作用する。
【０１６５】
論理制御ユニット１によって処理されたボックス３ｉｊに関連付けられている色度情報を照明ユニット２１，．．．，２ｉへ伝送することは、使用者によって観察される情景に対して実時間で行われる。
【０１６６】
信号獲得ユニット１０は、独立したハードウェアユニットとすることができ、又は図２による実施形態と同様に、プログラムのコードを実行して上述した信号処理方法を実行するように構成された好適なコンピュータソフトウェアによって実施することができる。
【０１６７】
本発明による照明システムＩＳの照明効果を改善及び実施するためには、照射される環境Ａにディスプレイ３を取り囲んで照明ユニット２ｉを好適に配置することが有用であることが、特に理解される。
【０１６８】
照明ユニット２１，．．．，２ｉは、ステージなどの観察される情景に隣り合う空間において、高さ、長さ、及び深さの寸法が考慮される空間の一部分の境界を決定して幾何学的に描写する特有の点に配置される（均質な幾何学的形状の境界決定及び描写）。これにより、本発明による照明システムＩＳに関連付けられた視覚効果を最大にすることが可能になる。
【０１６９】
特に、このように境界が決定された空間は、理論上、中心幾何遠近の法則が適用される図形フィールドであると考えられ、消失線が逸脱する消失点（観察される情景）を提供し、消失点（情景）の中心の性質を維持する。
【０１７０】
この遠近システムでは、照明ユニット２１，．．．，２ｉの位置を判定することができ、たとえば消失点から分岐する線に対応する消失線に直交して対で配置することができる。
【０１７１】
そのような消失線は、１００°〜１１０°の間に含まれる開口角を有し、これは人間の目の左右の周辺視野の最大開口角に一致する。
【０１７２】
照明ユニット２１，．．．，２ｉの追加の位置を判定するために、消失線は、６０°〜７５°の間に含まれる開口角を特徴とすると考えられる。例として、この開口角は、人間の目の上下の周辺視野の最大開口角に一致する。
【０１７３】
照明ユニット２１，．．．，２ｉの前述の空間構成は、使用者の周辺視野全体を実時間で没頭させるように機能する。
【０１７４】
この空間構成により、各照明ユニットと後続の照明ユニットとの間で色を変調することによって得られる色度遠近を介して、周辺視野の可能性及び特徴を利用することが可能になる。
【０１７５】
図１３を参照すると、本発明の一実施形態では、照明システムＩＳは、使用者の視点、特にＴ形のディスプレイに対する特定の遠近に応じて、環境Ａ内の照明ユニット２１，．．．，２ｉの配置を可能にするように構成された超音波信号レーザポインタなどの位置決めデバイス１４を備える。
【０１７６】
特に、位置決めデバイス１４は、Ｔディスプレイのタイプ及び制御論理ユニット１に接続される照明ユニット２１，．．．，２ｉの数の設定を可能にするソフトウェアアプリケーション（スマートフォンなどの外部端末に設置されるアプリケーションなど）によって制御される。
【０１７７】
このソフトウェアアプリケーションは、位置決めデバイス１４と使用者によって観察される点との間の距離値を提供する。例として、照明ユニット２１，．．．，２ｉが選択された後、位置決めデバイス１４に含まれるレーザデバイス（図示せず）が方向を提供し、同じ位置決めデバイス１４に含まれる超音波デバイス（図示せず）が距離を提供する。
【０１７８】
加えて、一実施形態では、位置決めデバイス１４は、警報信号の伝送を提供する。照明ユニット２１，．．．，２ｉの位置決めが誤っている場合、位置決めデバイス１４は、音響警報などの警報を開始して使用者に警告する。
【０１７９】
位置決めデバイス１４は、制御論理ユニット１へ一体化することができる。
【０１８０】
本発明の利点は、照明システムを制御して、色ビデオ信号の変換によって判定される色の動的、連続的、及び没入型の流れによって、観察される情景の環境を実時間で強化することである。
【０１８１】
さらに、本発明の利点は、人間の目の応答時間を考慮に入れることが可能な人間の目の周辺視野の没頭により、ビデオ信号の色の変換によって判定される連続して動く可変の色度遠近で、観察される情景の視野を実時間で生じさせることを可能にし、ディスプレイの視覚的影響を増大させて、観察される情景のさらなる集中性を与えることを可能にすることである。
【０１８２】
さらに、本発明による解決策は、あらゆる生の情景、又はＡＶＳ出力を有する光学デバイス（カメラ、スマートフォン、タブレットなど）によって観察される情景、任意の他のビデオ信号（デジタル地上及び衛星アンテナ、インターネットなど）によって提供される情景、若しくは熱画像装置から得られる信号によって提供される情景に適用することが可能であるという利点がある。
【０１８３】
本発明の追加の利点は、使用者の周辺視野を刺激する横方向の色の流れによって、観察される情景の強化現実を生成することである。
【０１８４】
本発明の別の利点は、観察される情景に対する使用者の視覚体験を実時間で拡大及び完成させることである。特に、本発明で提案される解決策は、増大（周辺視野）及び強化（特有の色の使用）された観察される情景の集中性、並びにこの精神的高揚及び照明ユニットの配置の両方によって没入及び没頭させられるディスプレイの集中性を提供する。
【０１８５】
本発明のさらなる利点は、使用者の視野におけるさらなるリラクセーション並びに表示又は再現される画像へのさらなる集中性を提供することである。
【０１８６】
本発明の利点は、中心幾何遠近によって得られる被写界深度をより大きくすることを可能にし、観察される情景に対する使用者の没頭を拡大することである。
【０１８７】
最後に、本発明による解決策は、試験対象の情景を事前にマークして、中心幾何遠近などの正確な空間基準でその情景を強化し、観察される現実の改良を提供して、目と情景のシステムに完全に適合し、したがって使用者の観察の観点から感覚及び知覚の改良を提供する。
【０１８８】
本発明は、例示のみを目的として記載されており、その好ましい実施形態に応じて出願の範囲を限定するものではなく、当業者であれば、本明細書の特許請求の範囲に記載の本発明の概念の範囲からから逸脱することなく、本発明を修正及び／又は適合することができることを理解されたい。
【図１】
2020532821.tif 000102
【図２】
2020532821.tif 000103
【図３】
2020532821.tif 000104
【図４】
2020532821.tif 000105
【図５】
2020532821.tif 000106
【図６】
2020532821.tif 000107
【図７】
2020532821.tif 000108
【図８】
2020532821.tif 000109
【図９】
2020532821.tif 000110
【図１０】
2020532821.tif 000111
【図１１】
2020532821.tif 000112
【図１２】
2020532821.tif 000113
【図１３】
2020532821.tif 000114
【国際調査報告】
2020532821.tif 000115
2020532821.tif 000116